(57)【要約】無線リンク障害検出方法及びユーザ装置が開示される。前記ユーザ装置は、複数のビームペアが配置された。各ビームペアは、基地局が信号を送信するための一つの送信ビームと、前記ユーザ装置が前記信号を受信するための対応する一つの受信ビームとを含む。前記方法は、下位レイヤにおいて、各ビームペアの中の受信ビームを利用して受信した、基地局が当該受信ビームに対応する送信ビームを利用して送信した参照信号の品質を、前記複数のビームペアに含まれる複数の送信ビームのチャネル品質として測定することと、前記複数の送信ビームのチャネル品質が第１の条件を満たすかを決定することと、前記複数の送信ビームのチャネル品質が第１の条件を満たす場合、上位レイヤが同期外れ指示情報に応じて無線リンク障害が発生したかを決定するように、上位レイヤに当該同期外れ指示情報を送信することとを含む。
2020511872.tif 000002
【特許請求の範囲】
【請求項１】
基地局が信号を送信するための一つの送信ビームとユーザ装置が前記信号を受信するための対応する一つの受信ビームとを含むビームペアが複数配置されたユーザ装置によって実行される無線リンク障害検出方法であって、
下位レイヤにおいて、各ビームペアの中の受信ビームを利用して受信した、基地局が当該受信ビームに対応する送信ビームを利用して送信した参照信号の品質を、前記複数のビームペアに含まれる複数の送信ビームのチャネル品質として測定することと、
前記複数の送信ビームのチャネル品質が第１の条件を満たすかを決定することと、
前記複数の送信ビームのチャネル品質が第１の条件を満たす場合、上位レイヤが同期外れ指示情報に応じて無線リンク障害が発生したかを決定するように、上位レイヤに当該同期外れ指示情報を送信することと、
を含む、方法。
【請求項２】
前記複数の送信ビームのチャネル品質が第１の条件を満たすかを決定することは、
前記複数の送信ビームのうちの第１の比率又は第１の数の送信ビームのチャネル品質が第１の期間内に第１の閾値より低い場合に、前記複数の送信ビームのチャネル品質が第１の条件を満たすと決定することを含む、
請求項１に記載の方法。
【請求項３】
前記複数の送信ビームはサービングビームと候補ビームを含み、
前記複数の送信ビームのチャネル品質が第１の条件を満たすかを決定することは、
前記サービングビームにビーム障害事件が発生し、且つ前記候補ビームのうちの第１の比率又は第１の数の候補ビームのチャネル品質が第１の期間内に第１の閾値より低い場合に、前記複数の送信ビームのチャネル品質が第１の条件を満たすと決定することを含む、
請求項１に記載の方法。
【請求項４】
前記複数の送信ビームのチャネル品質が第１の条件を満たすかを決定することは、
第１の期間内にサービングビームとなる送信ビームにビーム障害事件が発生した場合に、或いは、第１の期間内に前記複数の送信ビームのうちの第１の比率又は第１の数の送信ビームにビーム障害事件が発生した場合に、前記複数の送信ビームのチャネル品質が第１の条件を満たすと決定することを含む、
請求項１に記載の方法。
【請求項５】
前記複数の送信ビームのチャネル品質が第２の条件を満たすかを決定することと、
前記複数の送信ビームのチャネル品質が第２の条件を満たす場合に、上位レイヤに同期指示情報を送信することと、をさらに含む、
請求項１ないし請求項４のいずれかに記載の方法。
【請求項６】
前記複数の送信ビームのチャネル品質が第２の条件を満たすかを決定することは、
前記複数の送信ビームのうちの第２の比率又は第２の数の送信ビームのチャネル品質が第２の期間内に第２の閾値より高い場合に、前記複数の送信ビームのチャネル品質が第２の条件を満たすと決定することを含む、
請求項５に記載の方法。
【請求項７】
前記参照信号は、無線リソース管理測定に用いるチャネル状態情報参照信号、チャネル状態情報測定に用いるチャネル状態情報参照信号、又は下りリンク制御チャネルに用いる復調参照信号である、
請求項１ないし請求項６のいずれかに記載の方法。
【請求項８】
各ビームペアに含まれる送信ビームは、第１のタイプの送信ビーム又は第２のタイプの送信ビームである、
請求項１ないし請求項７のいずれかに記載の方法。
【請求項９】
前記参照信号は、同期信号、物理報知チャネルに用いる復調参照信号、又は無線リソース管理測定に用いるチャネル状態情報参照信号である、請求項１に記載の方法。
【請求項１０】
前記参照信号が同期信号又は無線リソース管理測定に用いるチャネル状態情報参照信号である場合に、上位レイヤシグナリングで当該チャネル状態情報参照信号とユーザ装置に送信する下りリンク制御チャネルの復調参照信号との間の対応関係を配置する、
請求項７又は請求項９に記載の方法。
【請求項１１】
基地局が信号を送信するための一つの送信ビームと前記ユーザ装置が前記信号を受信するための対応する一つの受信ビームとを含むビームペアが複数配置されたユーザ装置であって、
下位レイヤにおいて、各ビームペアの中の受信ビームを利用して受信した、基地局が当該受信ビームに対応する送信ビームを利用して送信した参照信号の品質を、前記複数のビームペアに含まれる複数の送信ビームのチャネル品質として測定するように構成される測定部と、
前記複数の送信ビームのチャネル品質が第１の条件を満たすかを決定するように構成される決定部と、
前記複数の送信ビームのチャネル品質が第１の条件を満たすことが前記決定部によって決定される場合、上位レイヤが同期外れ指示情報に応じて無線リンク障害が発生したかを決定するように、上位レイヤに当該同期外れ指示情報を送信するように構成される送信部と、を含む、
ユーザ装置。
【請求項１２】
前記決定部は、前記複数の送信ビームのうちの第１の比率又は第１の数の送信ビームのチャネル品質が第１の期間内に第１の閾値より低い場合に、前記複数の送信ビームのチャネル品質が第１の条件を満たすと決定する、
請求項１１に記載のユーザ装置。
【請求項１３】
前記複数の送信ビームはサービングビームと候補ビームを含み、
前記決定部は、前記サービングビームにビーム障害事件が発生し、且つ前記候補ビームのうちの第１の比率又は第１の数の候補ビームのチャネル品質が第１の期間内に第１の閾値より低い場合に、前記複数の送信ビームのチャネル品質が第１の条件を満たすと決定する、
請求項１１に記載のユーザ装置。
【請求項１４】
前記決定部は、第１の期間内にサービングビームとなる送信ビームにビーム障害事件が発生した場合に、或いは第１の期間内に前記複数の送信ビームのうちの第１の比率又は第１の数の送信ビームにビーム障害事件が発生した場合に、前記複数の送信ビームのチャネル品質が第１の条件を満たすと決定する、
請求項１１に記載のユーザ装置。
【請求項１５】
前記決定部はさらに、前記複数の送信ビームのチャネル品質が第２の条件を満たすかを決定し、且つ、前記複数の送信ビームのチャネル品質が第２の条件を満たす場合に、上位レイヤに同期指示情報を送信するように構成される、
請求項１１ないし請求項１４のいずれかに記載のユーザ装置。
【請求項１６】
前記決定部は、前記複数の送信ビームのうちの第２の比率又は第２の数の送信ビームのチャネル品質が第２の期間内に第２の閾値より高い場合に、前記複数の送信ビームのチャネル品質が第２の条件を満たすと決定する、
請求項１５に記載のユーザ装置。
【請求項１７】
前記参照信号は、無線リソース管理測定に用いるチャネル状態情報参照信号、チャネル状態情報測定に用いるチャネル状態情報参照信号、又は下りリンク制御チャネルに用いる復調参照信号である、
請求項１１ないし請求項１６のいずれかに記載のユーザ装置。
【請求項１８】
各ビームペアに含まれる送信ビームは第１のタイプの送信ビーム又は第２のタイプの送信ビームである、
請求項１１ないし請求項１７のいずれかに記載のユーザ装置。
【請求項１９】
前記参照信号は、同期信号、物理報知チャネルに用いる復調参照信号、又は無線リソース管理測定に用いるチャネル状態情報参照信号である、
請求項１１に記載のユーザ装置。
【請求項２０】
前記参照信号が同期信号又は無線リソース管理測定に用いるチャネル状態情報参照信号である場合に、上位レイヤシグナリングで当該チャネル状態情報参照信号とユーザ装置に送信する下りリンク制御チャネルの復調参照信号との間の対応関係を配置する、
請求項１７又は請求項１９に記載のユーザ装置。
【発明の詳細な説明】
【技術分野】
【０００１】
本開示は、無線リンク障害(ｒａｄｉｏ  ｌｉｎｋ  ｆａｉｌｕｒｅ)の検出に関するものであり、具体的には、マルチビームのシナリオにおいて行われる無線リンク障害検出の方法及び対応するユーザ装置に関するものである。
【背景技術】
【０００２】
ロングタームエボリューション(ＬＴＥ)において、無線環境の変化などのため、ユーザ装置(ＵＥ)と基地局(ＢＳ)の間の下りリンクチャネル品質が悪くなる可能性があり、無線リンク障害(ＲＬＦ)を引き起こして、ＵＥと基地局の間の通信に影響を与えることになる。この問題を防ぐために、ＵＥは、下りリンクのチャネル品質を監視して無線リンク障害(ＲＬＦ)を検出し、且つ、ＲＬＦが検出されるときに、ＲＲＣ再確立（ＲＲＣ-ｒｅｅｓｔａｂｌｉｓｈｍｅｎｔ）を行う。
【０００３】
具体的には、ＵＥがＬ１／Ｌ２レイヤにおいて下りリンクチャネル(例えば、下りリンク制御チャネル(ＰＤＣＣＨ))の無線品質を定期的に測定し、前記無線品質を閾値Ｑｏｕｔと比較する。前記無線品質がＱｏｕｔ未満であると、Ｌ１／Ｌ２レイヤからＬ３レイヤに同期外れ(Ｏｕｔ−Ｏｆ−Ｓｙｎｃ、ＯＯＳ)指示を送信する。Ｌ３レイヤがＮ３１０個の同期外れ指示を連続して受信すると、Ｔ３１０タイマーを起動する。そして、ＵＥが前記無線品質を閾値Ｑｉｎと比較して、前記無線品質がＱｉｎを超えると、Ｌ１／Ｌ２レイヤからＬ３レイヤに同期(Ｉｎ−Ｓｙｎｃ、ＩＳ)指示を送信する。Ｔ３１０が起動している期間に、Ｌ３レイヤがＮ３１１個の同期指示を連続して受信すると、ＲＬＦが発生しないと決定し、Ｔ３１０タイマーを停止する。一方、Ｔ３１０が満了する前にＮ３１１個の同期指示を連続して受信しなければ、ＲＬＦが発生したと決定する。その後、ＵＥがＲＲＣ再確立手順を開始する。
【０００４】
新しい無線アクセスシステムにおいて、マルチビーム技術が利用される。基地局は、複数の送信ビームを用いてＵＥに信号を送信することができ、ＵＥは、複数の受信ビームを用いて、基地局から送信された信号を受信することができる。しかし、このようなマルチビームのシナリオでは、ＲＬＦを検出する方法が提案されていない。
【発明の概要】
【０００５】
本開示の一方面の実施例によれば、基地局が信号を送信するための一つの送信ビームとユーザ装置が前記信号を受信するための対応する一つの受信ビームを含むビームペアが複数配置された前記ユーザ装置によって実行される無線リンク障害検出方法が提供される。前記方法は、下位レイヤにおいて、各ビームペアの中の受信ビームを利用して受信した、基地局が当該受信ビームに対応する送信ビームを利用して送信した参照信号の品質を、前記複数のビームペアに含まれる複数の送信ビームのチャネル品質として測定することと、前記複数の送信ビームのチャネル品質が第１の条件を満たすかを決定することと、前記複数の送信ビームのチャネル品質が第１の条件を満たす場合、上位レイヤが同期外れ指示情報に応じて無線リンク障害が発生したかを決定するように、上位レイヤに当該同期外れ指示情報を送信することと、を含む。
【０００６】
本開示の他の実施例によれば、基地局が信号を送信するための一つの送信ビームとユーザ装置が前記信号を受信するための対応する一つの受信ビームを含むビームペアが複数配置された前記ユーザ装置が提供される。前記ユーザ装置は、下位レイヤにおいて、各ビームペアの中の受信ビームを利用して受信した、基地局が当該受信ビームに対応する送信ビームを利用して送信した参照信号の品質を、前記複数のビームペアに含まれる複数の送信ビームのチャネル品質として測定するように構成される測定部と、前記複数の送信ビームのチャネル品質が第１の条件を満たすかを決定するように構成される決定部と、前記複数の送信ビームのチャネル品質が第１の条件を満たすことが前記決定部によって決定される場合、上位レイヤが同期外れ指示情報に応じて無線リンク障害が発生したかを決定するように、上位レイヤに当該同期外れ指示情報を送信するように構成される送信部とを含む。なお、ユーザに配置された複数のビームペアは、同じタイプのビームペアであってもよく、異なるタイプのビームペアであってもよい。
【０００７】
本開示の他の実施例によれば、複数の第１のビームペアと複数の第２のビームペアとが配置されたユーザ装置によって実行される無線リンク障害検出方法が提供される。各第１のビームペアは、基地局が信号を送信するための一つの第１のタイプの送信ビームと前記ユーザ装置が前記信号を受信するための対応する一つの第２のタイプの受信ビームとを含み、各第２のビームペアは、基地局が信号を送信するための一つの第２のタイプの送信ビームと前記ユーザ装置が前記信号を受信するための対応する一つの第２のタイプの受信ビームを含む。前記方法は、下位レイヤにおいて、各第１のビームペアの中の第１のタイプの受信ビームを利用して受信した、基地局が当該第１のタイプの受信ビームに対応する第１のタイプの送信ビームを利用して送信した参照信号の品質を、前記複数の第１のビームペアに含まれる複数の第１のタイプの送信ビームのチャネル品質として測定し、且つ、各第２のビームペアの中の第２のタイプの受信ビームを利用して受信した、基地局が当該第２のタイプの受信ビームに対応する第２のタイプの送信ビームを利用して送信した参照信号の品質を、前記複数の第２のビームペアに含まれる複数の第２のタイプの送信ビームのチャネル品質として測定することと、前記複数の第１のタイプの送信ビームのチャネル品質が第１の条件を満たすかを決定し、且つ、前記複数の第２のタイプの送信ビームのチャネル品質が第２の条件を満たすかを決定することと、前記複数の第１のタイプの送信ビームのチャネル品質が第１の条件を満たし、且つ／又は前記複数の第２のタイプの送信ビームのチャネル品質が第２の条件を満たす場合、上位レイヤが同期外れ指示情報に応じて無線リンク障害が発生したかを決定するように、上位レイヤに当該同期外れ指示情報を送信することと、を含む。
【０００８】
本開示の他の実施例によれば、複数の第１のビームペアと複数の第２のビームペアとが配置されたユーザ装置によって実行される無線リンク障害検出方法が提供される。各第１のビームペアは、基地局が信号を送信するための一つの第１のタイプの送信ビームと前記ユーザ装置が前記信号を受信するための対応する一つの第２のタイプの受信ビームとを含み、各第２のビームペアは、基地局が信号を送信するための一つの第２のタイプの送信ビームと前記ユーザ装置が前記信号を受信するための対応する一つの第２のタイプの受信ビームとを含む。前記方法は、上位レイヤにおいて下位レイヤから送信される第１の数の第１の同期外れ指示情報と第２の数の第２の同期外れ指示情報とを受信し、前記第１の同期外れ指示情報は、各第１のビームペアの中の第１のタイプの受信ビームを利用して受信した、基地局が当該第１のタイプの受信ビームに対応する第１のタイプの送信ビームを利用して送信した参照信号の品質を測定することによって取得した前記複数の第１のタイプの送信ビームのチャネル品質が第１の条件を満たす場合に送信されるものであり、前記第２の同期外れ指示情報は、各第２のビームペアの中の第２のタイプの受信ビームを利用して受信した、基地局が当該第２のタイプの受信ビームに対応する第２のタイプの送信ビームを利用して送信した参照信号の品質を測定することによって取得した前記複数の第２のタイプの送信ビームのチャネル品質が第２の条件を満たす場合に送信されるものであることと、上位レイヤにおいて、前記第１の数の第１の同期外れ指示情報及び／又は前記第２の数の第２の同期外れ指示情報に応じて、無線リンク障害が発生するかを決定することと、を含む。
【０００９】
本開示の他の実施例によれば、複数の第１のビームペアと複数の第２のビームペアが配置されたユーザ装置が提供される。各第１のビームペアは、基地局が信号を送信するための一つの第１のタイプの送信ビームと前記ユーザ装置が前記信号を受信するための対応する一つの第２のタイプの受信ビームとを含み、各第２のビームペアは、基地局が信号を送信するための一つの第２のタイプの送信ビームと前記ユーザ装置が前記信号を受信するための対応する一つの第２のタイプの受信ビームとを含む。前記ユーザ装置は、下位レイヤにおいて、各第１のビームペアの中の第１のタイプの受信ビームを利用して受信した、基地局が当該第１のタイプの受信ビームに対応する第１のタイプの送信ビームを利用して送信した参照信号の品質を、前記複数の第１のビームペアに含まれる複数の第１のタイプの送信ビームのチャネル品質として測定し、且つ各第２のビームペアの中の第２のタイプの受信ビームを利用して受信した、基地局が当該第２のタイプの受信ビームに対応する第２のタイプの送信ビームを利用して送信した参照信号の品質を、前記複数の第２のビームペアに含まれる複数の第２のタイプの送信ビームのチャネル品質として測定するように構成される測定部と、前記複数の第１のタイプの送信ビームのチャネル品質が第１の条件を満たすかを決定し、且つ前記複数の第２のタイプの送信ビームのチャネル品質が第２の条件を満たすかを決定するように構成される決定部と、前記決定部が前記複数の第１のタイプの送信ビームのチャネル品質が第１の条件を満たし、且つ／又は前記複数の第２のタイプの送信ビームのチャネル品質が第２の条件を満たすと決定する場合、上位レイヤが同期外れ指示情報に応じて無線リンク障害が発生したかを決定するように、上位レイヤに当該同期外れ指示情報を送信するように構成される送信部と、を含む。
【００１０】
本開示の他の実施例によれば、複数の第１のビームペアと複数の第２のビームペアが配置されたユーザ装置が提供される。各第１のビームペアは、基地局が信号を送信するための一つの第１のタイプの送信ビームと前記ユーザ装置が前記信号を受信するための対応する一つの第１のタイプの受信ビームとを含み、各第２のビームペアは、基地局が信号を送信するための一つの第２のタイプの送信ビームと前記ユーザ装置が前記信号を受信するための対応する一つの第２のタイプの受信ビームとを含む。前記ユーザ装置は、上位レイヤにおいて、下位レイヤから送信される第１の数の第１の同期外れ指示情報及び第２の数の第２の同期外れ指示情報を受信し、前記第１の同期外れ指示情報は、各第１のビームペアの中の第１のタイプの受信ビームを利用して受信した、基地局が当該第１のタイプの受信ビームに対応する第１のタイプの送信ビームを利用して送信した参照信号の品質を測定することによって取得した前記複数の第１のタイプの送信ビームのチャネル品質が第１の条件を満たす場合に送信されるものであり、前記第２の同期外れ指示情報は、各第２のビームペアの中の第２のタイプの受信ビームを利用して受信した、基地局が当該第２のタイプの受信ビームに対応する第２のタイプの送信ビームを利用して送信した参照信号の品質を測定することによって取得した前記複数の第２のタイプの送信ビームのチャネル品質が第２の条件を満たす場合に送信されるものであるように構成される受信部と、上位レイヤにおいて、前記第１の数の第１の同期外れ指示情報及び／又は前記第２の数の第２の同期外れ指示情報に応じて、無線リンク障害が発生するかを決定するように構成される決定部を含む。
【図面の簡単な説明】
【００１１】
【図１】図１は本開示の実施例に関する移動通信システムを示す概略図である。
【図２】図２Ａと図２Ｂは基地局とユーザ装置の間の通信に利用されるビームを示す概略図である。
【図３】図３は本開示の第１の実施例に関するＲＬＦ検出の方法を示すフローチャートである。
【図４】図４は本開示の第１の実施例に関する無線リンク障害を決定することを示す概略図である。
【図５】図５は本発明の第１の実施例に関するＵＥのブロック図である。
【図６】図６は本開示の第２の実施例に関する無線リンク障害を決定することを示す概略図である。
【図７】図７は本開示の第２の実施例に関する無線リンク障害を検出する方法を示すフローチャートである。
【図８】図８は本発明の第２の実施例に関するＵＥのブロック図である。
【図９】図９は本開示の第３の実施例に関する無線リンク障害を検出する方法を示すフローチャートである。
【図１０】図１０は本発明の第３の実施例のＵＥのブロック図である。
【図１１】図１１は本開示の第４の実施例に関する無線リンク障害を検出する方法を示すフローチャートである。
【図１２】図１２は本開示の第４の実施例に関するＵＥのブロック図である。
【図１３】図１３は本開示の無線基地局とユーザ端末のハードウェア構成の一例を示す図である。
【発明を実施するための形態】
【００１２】
添付の図面を参照しながらより詳細に説明されることで、本開示の上記ならびにその他の目的、特徴および利点がより明らかになるであろう。添付図面は、本開示の実施形態の理解を容易にするためのものであり、本明細書の一部を構成するものであり、本開示の実施例に併せて本開示の解釈に利用するが、本開示の技術的な範囲を限定するものではない。図面において、同一の参照符号は、通常、同一の部品または手順を表す。
【００１３】
本開示の目的、技術的解決手段及び利点をより明確にするために，以下に図面を参照しながら本開示の例示的な実施例を詳細に説明する。
【００１４】
まず、図１を参照して本開示の実施例を適用できる無線通信システムを説明する。図１の示すように、当該無線通信システムは、基地局(ＢＳ)１０とユーザ装置(ＵＥ)２０を含む。ＵＥ２０は、基地局１０から送信される信号を受信し、基地局１０に信号を送信する。図１には、一つの基地局と一つのＵＥが示されるが、これは例示的なものであり、当該無線通信システムは、複数の基地局及び／又は複数のＵＥを含んでもよいと認識すべきである。前記基地局は送受信ポイント(ＴＲＰ)と呼ばれてもよく、前記ＵＥは移動局(ＭＳ)やユーザ端末と呼ばれてもよいと認識すべきである。
【００１５】
マルチビームシナリオにおいて、ユーザ装置に対して複数のビームペアを配置する。具体的には、基地局は、複数の送信ビームを利用してＵＥに信号を送信することができ、ＵＥは、複数の受信ビームを利用して、基地局から送信される信号を受信することができる。
【００１６】
前記送信ビームと前記受信ビームは第１のタイプのビームであってもよい。前記第１のタイプのビームは、下りリンク制御チャネル(ＰＤＣＣＨ)及び／又は下りリンクデータチャネル(ＰＤＳＣＨ)と、ＣＳＩの測定・報告及び／又はＬ１レイヤ参照信号受信電力(ＲＳＲＰ)の測定・報告を行う(即ち、ビーム管理を行う)ためのＣＳＩ-ＲＳと、無線リソース管理測定を行うためのＣＳＩ-ＲＳなどを伝送する。図２Ａの示すように、基地局は、第１のタイプの送信ビームＢ２１、Ｂ２２、Ｂ２３及び／又はＢ２４を利用してＵＥにデータを送信してもよい。前記送信ビームは、サービングビーム(例えば、Ｂ２２とＢ２３)及び候補ビーム(例えば、Ｂ２１とＢ２４)を含んでもよい。データを送信する時に、基地局はサービングビームにおいて動的にスケジューリングする。サービングビームにビーム障害事件が発生した場合に、基地局は、サービングビームを前記候補ビームに切り替えることで、ビームリカバリーを実行してもよい。一方、ＵＥは、複数の第１のタイプの受信ビームｂ１、ｂ２、ｂ３及びｂ４のいずれか１つを利用して、基地局がある送信ビームを用いて送信するデータを受信してもよい。具体的には、基地局がある送信ビーム(例えば、Ｂ２２)を用いてデータを送信する時に、ＵＥは、受信ビームｂ１-ｂ４のうち、所望受信品質(例えば、最適受信品質)が得られる受信ビーム(例えば、ｂ２)を選択して、当該データを受信する。この場合、前記送信ビームと前記受信ビームは、一つのビームペアとなる。同じように、各送信ビームに対して、所望受信品質が得られる対応する一つの受信ビームが存在するので、前記複数の送信ビームと前記複数の受信ビームは、複数のビームペアとなってもよい。以下には、便宜上、第１のタイプのビームからなる複数のビームペアを複数の第１のビームペアと呼んでもよい。
【００１７】
あるいは、前記送信ビームと前記受信ビームは第２のタイプのビームであってもよく、同期信号又は物理報知チャネルを含む同期信号ブロック(ＳＳ  ｂｌｏｃｋ)を送信する。図２Ｂの示すように、基地局は第２のタイプの送信ビーム(例えば、Ｂ１、Ｂ２、Ｂ３)を利用してＵＥに信号を送信してもよい。同様に、前記第２のタイプの送信ビームは、サービングビームと候補ビームとを含み、第１のタイプのビームと同じ態様に従って、前記送信ビームを利用して切り替えてもよい。一方、ＵＥは、複数の第２のタイプの受信ビーム(図２Ｂに示されない)のいずれか１つを利用して、基地局がある送信ビームを用いて送信する信号を受信してもよい。同じように、各送信ビームと当該送信ビームに対して所望受信品質が得られる受信ビームとは、一つのビームペアとなって、複数のビームペアが形成してもよい。以下には、便宜上、第２のタイプのビームからなる複数のビームペアを複数の第２のビームペアと呼んでもよい。図２Ａと２Ｂの示すように、一般的に、第２のタイプのビームは、第１のタイプのビームより広いため、以下には、第１のタイプのビームを細い(ｆｉｎｅ)ビームと呼び、第２のタイプのビームを太い(ｒｏｕｇｈ)ビームと呼ぶ。ユーザが下りリンク品質の監視を行うように配置する場合に、ＵＥに複数の第１のビームペア又は複数の第２のビームペアを配置してもよく、ＵＥに複数の第１のビームペア及び複数の第２のビームペアを配置してもよいことを認識すべきである。
【００１８】
以下、本開示の実施例を詳細に説明する。本開示の実施例には、Ｌ１／Ｌ２レイヤにおいてサービングビームにビーム障害事件が発生した場合に、上記ビームリカバリー動作を実行する。幾つかの条件を満たす場合に、ビームリカバリー障害を決定できる。この時、Ｌ１／Ｌ２レイヤからＬ３レイヤに同期外れ指示を送信することにより、Ｌ３レイヤが少なくとも部分的に当該同期外れ指示に基づいて無線リンク障害(ＲＬＦ)が発生するかを決定できる。
【００１９】
まず、図３を参照して本開示の第１の実施例に関するＲＬＦ検出方法を説明する。当該方法は、ＵＥによって実行されてもよい。上述のように、当該ＵＥは、複数のビームペアが配置され、各ビームペアは、基地局が信号を送信するための一つの送信ビームと前記ユーザ装置が前記信号を受信するための対応する一つの受信ビームとを含む。前記送信ペアのビームは、第１のタイプのビームだけを含んでもよく、第２のタイプのビームを含んでもよく、第１のタイプのビームと第２のタイプのビームの両方を含んでもよい。
【００２０】
図３の示すように、ステップＳ３０１において、Ｌ１／Ｌ２レイヤにおいて、各ビームペアの中の受信ビームを利用して受信した、基地局が当該受信ビームに対応する送信ビームを利用して送信した参照信号の品質を、前記複数のビームペアに含まれる複数の送信ビームのチャネル品質として測定する。ここで、例示として、前記下位レイヤは、Ｌ１レイヤ(物理レイヤ)及び／又はＬ２レイヤ(ＭＡＣレイヤ及び／又はＲＬＣレイヤ)、即ちＬ１／Ｌ２レイヤであってもよい。したがって、下記の上位レイヤはＬ３レイヤ(ＲＲＣレイヤ)であってもい。
【００２１】
ＵＥは、当該ＵＥに配置された複数のビームペアを監視してもよい。具体的には、基地局がビームペアの中の送信ビームを利用してＵＥに参照信号を送信する時に、ＵＥは、当該ビームペアのうち前記送信ビームに対応する受信ビームを利用して前記参照信号を受信し、且つ、当該参照信号の受信品質を当該送信ビームの(下り)チャネル品質として測定してもよい。それにより、ＵＥは、前記複数のビームペアに含まれる複数の送信ビームのチャネル品質を測定できる。
【００２２】
上位レイヤシグナリング(例えば、無線リソース制御(ＲＲＣ)シグナリング)によって、ＵＥが監視するビームペアを配置してもよい。また、ＵＥが第１のビームペアを監視する場合に、前記参照信号は、無線リソース管理(ＲＲＭ)の測定に用いるチャネル状態情報参照信号(ＣＳＩ-ＲＳ)、チャネル状態情報(ＣＳＩ)の測定(Ｌ１-ＲＳＲＰ測定を含む)に用いるＣＳＩ-ＲＳ、又は、下りリンク制御チャネル(ＰＤＣＣＨ)のための復調参照信号(ＤＭＲＳ)であってもよい。ＵＥが第２のビームペアを監視する場合に、前記参照信号は、同期信号ブロック(ＳＳ  ｂｌｏｃｋ)、同期信号(ＳＳ)、物理報知チャネル(ＰＢＣＨ)のための復調参照信号(ＤＭＲＳ)、無線リソース管理(ＲＲＭ)の測定に用いるチャネル状態情報参照信号(ＣＳＩ-ＲＳ)であってもよい。前記参照信号が、同期信号ブロック又は同期信号、或いはＲＲＭ測定に用いるＣＳＩ-ＲＳである場合に、上位レイヤシグナリング(例えば、ＲＲＣシグナリング)によって当該ＣＳＩ-ＲＳとＵＥに送信するＰＤＣＣＨのＤＭＲＳとの間の対応関係(準コロケーション(Ｑｕａｓｉ  ｃｏ−ｌｏｃａｔｉｏｎ)関係と呼んでもよい)を配置してもよい。それにより、当該対応関係に基づいて、当該参照信号の測定を監視して得られるのがどの制御チャネル(ＰＤＣＣＨ)のチャネル品質であるかを把握できる。
【００２３】
引き続き図３を参照すると、ステップＳ３０２において、前記複数の送信ビームのチャネル品質が第１の条件を満たすかを決定する。
【００２４】
第１の実施態様において、前記複数の送信ビームのうちある比率(Ｐ１と示す)の送信ビームのチャネル品質が、ある期間(Ｔ１と示す)にある閾値(ＴＨ１と示す)より低い場合に、前記複数の送信ビームのチャネル品質が第１の条件を満たすと決定する。当該実施態様において、前記複数の送信ビームは、サービングビームと候補ビームを含む。また、前記比率Ｐ１は、必要に応じて柔軟に設定してもよく、例えば７０％、９０％、１００％、あるいは他の適切な値に設定してもよい。前記期間Ｔ１は、必要に応じて柔軟に設定してもよい。また、前記閾値ＴＨ１を必要に応じて柔軟に設定してもよく、例えば、Ｑｏｕｔに設定してもよい。ここで、参照信号又は制御チャネルのブロック誤り率(ＢＬＥＲ)がある値(例えば、１０％)より大きい場合の信号対干渉雑音比(ＳＩＮＲ)をＱｏｕｔとして設定してもよい。当該実施態様において、前記複数の送信ビームは、サービングビームと候補ビームを含む。
【００２５】
第２の実施態様において、前記複数の送信ビームの中のサービングビームにビーム障害事件が発生し(Ｌ１／Ｌ２レイヤにおいて)、且つ、前記候補ビームのうちある比率(Ｐ２と示す)の候補ビームのチャネル品質がある期間(Ｔ２と示す)にある閾値(ＴＨ２と示す)より低い場合に、前記複数の送信ビームのチャネル品質が第１の条件を満たすと決定する。Ｐ２、Ｔ２及びＴＨ２は、必要に応じて柔軟に設定されてもよく、Ｐ１、Ｔ１及びＴＨ１と別々に同じでも異なってもよい。例えば、閾値ＴＨ２は上記のＱｏｕｔであってもよく、他の値であってもよい。また、Ｐ２は１００％であってもよく、８０％又は他の適切な値であってもよい。
【００２６】
当該実施態様において、Ｌ１／Ｌ２レイヤにおけるこのビーム障害事件は、サービングビームが利用不可であることを反映できるいかなる事件であってもよく、無線通信システムの実際の状況及び／又は無線環境に応じて適当に定義してもよく、例えば３ＧＰＰ規格に定義されたビーム障害事件のような予め定義された事件であってもよい。例えば、前記複数の送信ビームのうちある比率(Ｐ３と示す)のサービングビームのチャネル品質が期間Ｔ３に閾値ＴＨ３より低い場合に、前記複数の送信ビームの中のサービングビームにビーム障害事件が発生したと考えられる。前記Ｐ３、Ｔ３及びＴＨ３は必要に応じて柔軟に設定されてもよく、前記比率、期間及び閾値と別々に同じでも異なってもよい。例えば、閾値ＴＨ３は上記Ｑｏｕｔであってもよく、他の値であってもよい。また、Ｐ３は１００％であってもよく、８０％又は他の適切な値であってもよい。他の例示として、サービングビームのチャネル品質がある期間内にある閾値より低い、且つ候補ビームのチャネル品質がある期間内にある閾値より高い場合に、前記サービングビームにビーム障害事件が発生したと考えられる。
【００２７】
第３の実施態様において、ある期間(Ｔ４と示す)にサービングビームとなる送信ビームにビーム障害事件が発生した場合に、前記複数の送信ビームのチャネル品質が第１の条件を満たすと決定する。具体的に、サービングビームにビーム障害事件(例えば、上記ビーム障害事件)が発生した場合に、基地局は一つ又は複数の候補ビームをサービングビームに切り替える。しかし、切り替えたサービングビームにまだビーム障害事件が発生すれば、基地局は他の一つ又は複数の候補ビームをサービングビームに切り替える。期間Ｔ４内にサービングビームとなる送信ビームの全てにビーム障害事件が発生すれば、現在ＵＥに利用可能なビームのチャネル品質がよくないことは明らかになり、以降の動作を実行するために、前記複数の送信ビームのチャネル品質が第１の条件を満たすと決定できる。あるいは、期間Ｔ４内に前記複数の送信ビームのうちある比率(Ｐ４と示す)の送信ビームにビーム障害事件が発生した場合に、前記複数の送信ビームのチャネル品質が第１の条件を満たすと決定する。
【００２８】
引き続き図３を参照すると、ステップＳ３０３において、前記複数の送信ビームのチャネル品質が第１の条件を満たす場合、上位レイヤが同期外れ指示情報に応じて無線リンク障害が発生したかを決定するように、上位レイヤに当該同期外れ指示情報を送信する。
【００２９】
具体的には、前記複数の送信ビームのチャネル品質が第１の条件を満たす場合に、ＵＥに利用可能な送信ビームのチャネル品質がよくないと決定できるので、上位レイヤに当該ＵＥと基地局が同期を失うことを指示する同期外れ指示情報を送信してもよい。それにより、上位レイヤは、当該同期外れ指示情報に基づいて無線リンク障害が発生するかを決定できるようにする。上述のように、前記上位レイヤはＬ３レイヤであってもよい。以下には、Ｌ３レイヤを例示として説明する。
【００３０】
ＵＥは、上記ステップＳ３０１ないしＳ３０３を定期的に繰り返す。即ち、ＵＥは、Ｌ１／Ｌ２レイヤにおいて前記参照信号の品質を定期的に測定することで、複数の送信ビームのチャネル品質を決定し、当該チャネル品質が第１の条件を満たす場合に、Ｌ３レイヤに同期外れ指示情報を送信する。
【００３１】
一方、ＵＥは、Ｌ１／Ｌ２レイヤにおいて前記複数の送信ビームのチャネル品質が第２の条件を満たすかを決定し、前記複数の送信ビームのチャネル品質が第２の条件を満たす場合に、Ｌ３レイヤに同期指示情報を送信する。例えば、前記複数の送信ビームのうちある比率(Ｐ５と示す)の送信ビームのチャネル品質がある期間(Ｔ５と示す)にある閾値(ＴＨ５と示す)より高い場合に、前記複数の送信ビームのチャネル品質が第２の条件を満たすと決定できる。前記Ｐ５、Ｔ５及びＴＨ５は、必要に応じて柔軟に設定してもよい。例えば、閾値ＴＨ５はＱｉｎに設定してもよい。ここで、参照信号又は制御チャネルのブロック誤り率(ＢＬＥＲ)がある値(例えば、２％)より低い場合の信号対干渉雑音比(ＳＩＮＲ)をＱｉｎとして設定してもよい。また、Ｐ５は１００％であってもよく、８０％又は他の適切な値であってもよい。前記複数の送信ビームのチャネル品質が第２の条件を満たす場合に、ＵＥに利用可能な送信ビームのチャネル品質がよいので、ＵＥと基地局の間に同期を取ったと決定でき、このため、Ｌ３レイヤに同期指示情報を送信できると考えられる。Ｌ３レイヤも当該同期指示情報を利用して無線リンク障害が発生するかを決定する。同様に、ＵＥは、Ｌ１／Ｌ２レイヤにおいて前記複数の送信ビームのチャネル品質が第２の条件を満たすと決定するごとに、Ｌ３レイヤに同期指示情報を送信する。あるいは、前記複数の送信ビームのうち比率Ｐ５の送信ビームのチャネル品質が期間Ｔ５内に閾値ＴＨ５より高いという条件に加えて、更なる条件を追加してもよく、これらの条件の全てが満たされた場合に、複数の送信ビームのチャネル品質が第２の条件を満たすと決定する。追加条件は、例えば、前記複数の送信ビームのうち比率Ｐ５の送信ビームのチャネル品質が期間Ｔ５内に閾値ＴＨ５より高い場合に、チャネル品質が閾値ＴＨ５より高い送信ビームのうち、前のサービングビームと同じものが少なくも一つ存在するという条件を追加してもよい。こんな条件を追加する原因としては、チャネル品質が閾値ＴＨ５より高い送信ビームが前に使用されたサービングビームと完全に異なれば、ＵＥの利用可能なビームのチャネル品質はまだ不安定であり、同期を失う可能性があると考えられ、同期指示情報を送信することが好ましくないためである。
【００３２】
以下、図４を参照して本開示第１の実施例に関する、Ｌ３レイヤにおいて無線リンク障害を決定する具体的な方式を説明する。具体的に、以上のようにステップＳ３０３において、Ｌ１／Ｌ２レイヤからＬ３レイヤに同期外れ指示情報を送信した時に、Ｌ３レイヤは当該同期外れ指示情報に対してカウントする。Ｌ３レイヤがＮ３１０個の同期外れ指示情報を連続して受信した時に、Ｌ３レイヤはタイマーＴ３１０を起動して、受信した同期指示情報に対してカウントする。Ｔ３１０が起動する期間に、Ｌ３レイヤがＮ３１１個の同期指示情報を連続して受信したら、Ｌ３レイヤは無線リンク障害が発生しないと決定し、タイマーＴ３１０を停止する。一方、Ｔ３１０が満了するまでに、Ｌ３レイヤがＮ３１１個の同期指示情報を連続して受信しなければ、Ｌ３レイヤは無線リンク障害が発生したと決定し、ＲＲＣ再確立手順を実行する。ＵＥは本分野で公知の態様で当該ＲＲＣ再確立手順を実行してもよい。例えば、ＵＥは同期信号に基づいてＲＲＭ測定を実行し、ランダムアクセス手順によってＲＲＣ再確立を実行してもよい。
【００３３】
上記方法によれば、マルチビームシナリオにおいて、無線リンク障害を簡単に検出できる。上述した方法はあくまで例示であって制限的なものではないと考えられるべきである。例えば、前記方法を説明するときに様々な「比率」を使用したが、それらを「数（数量）」に置き替えてもよい。例えば、ステップＳ３０２において、予定の数の送信ビームが様々な要求に合致する場合に、前記複数の送信ビームのチャネル品質が第１の条件又は第２の条件を満たすと決定する。また、例えば、前記複数の送信ビームのうちある数の(例えば、一つの)送信ビームのチャネル品質が期間Ｔ５内に閾値ＴＨ５より高い場合に、前記複数の送信ビームのチャネル品質が第２の条件を満たすと決定してもよい。
【００３４】
また、上述のように、ＵＥに複数の第１のビームペアと複数の第２のビームペアを配置してもよい。それにより、ＵＥは、第１のタイプの送信ビームと第２のタイプの送信ビームが配置される。この場合、複数の送信ビームのチャネル品質を測定する時に、第１のタイプの送信ビームと第２のタイプの送信ビームとを区別しなくてもよい。即ち、第１のタイプの送信ビームと第２のタイプの送信ビームとを含むチャネル品質を測定し、当該チャネル品質に基づいて以降の動作を実行してもよい。
【００３５】
以下、図５を参照して本発明の第１の実施例に関するＵＥを説明する。当該ＵＥに複数のビームペアが配置され、各ビームペアは、基地局が信号を送信するための一つの送信ビームと前記ユーザ装置が前記信号を受信するための対応する一つの受信ビームを含む。前記送信ペアのビームは、第１のタイプのビームだけを含んでもよく、第２のタイプのビームを含んでもよく、第１のタイプのビームと第２のタイプのビームとの両方を含んでもよい。当該ユーザ装置の動作は、図３を参照して説明した方法の対応するステップの詳細と大体同じであるので、ここで、同じ内容の説明を略する。
【００３６】
図５の示すように、ＵＥ５０は、測定部５０１、決定部５０２及び送信部５０３を含む。
【００３７】
測定部５０１は、下位レイヤ(例えば、Ｌ１／Ｌ２レイヤ)において、各ビームペアの中の受信ビームを利用して受信した、基地局が当該受信ビームに対応する送信ビームを利用して送信した参照信号の品質を、前記複数のビームペアに含まれる複数の送信ビームのチャネル品質として測定する。上述のように、上位レイヤシグナリング(例えば、ＲＲＣシグナリング)によって、ＵＥが監視するビームペアを配置してもよい。また、ＵＥが第１のビームペアを監視する場合に、前記参照信号は、ＲＲＭ測定に用いるＣＳＩ-ＲＳ、ＣＳＩ測定に用いるＣＳＩ-ＲＳ、ＰＤＣＣＨのためのＤＭＲＳであってもよい。ＵＥが第２のビームペアを監視する場合に、前記参照信号は同期信号(ＳＳ)、ＰＢＣＨのためのＤＭＲＳ、ＲＲＭ測定に用いるＣＳＩ-ＲＳであってもよい。前記参照信号が同期信号又はＲＲＭ測定に用いるＣＳＩ-ＲＳである場合に、上位レイヤシグナリング(例えば、ＲＲＣシグナリング)によって当該ＣＳＩ-ＲＳとＵＥに送信するＰＤＣＣＨのＤＭＲＳとの間の対応関係(準コロケーション)を配置してもよい。それにより、当該対応関係に基づいて、当該参照信号の測定を監視して得られるのがどの制御チャネル(ＰＤＣＣＨ)のチャネル品質であるかを把握できる。
【００３８】
決定部５０２は、前記複数の送信ビームのチャネル品質が第１の条件を満たすかを決定する。
【００３９】
第１の実施態様において、前記複数の送信ビームのうち比率Ｐ１の送信ビームのチャネル品質は、期間Ｔ１内に閾値ＴＨ１より低い場合に、決定部５０２は前記複数の送信ビームのチャネル品質が第１の条件を満たすと決定してもよい。当該実施態様において、前記複数の送信ビームは、サービングビームと候補ビームとを含む。また、比率Ｐ１と期間Ｔ１は、必要に応じて柔軟に設定してもよい。また、前記閾値ＴＨ１は、必要に応じて柔軟に設定してもよく、例えば、Ｑｏｕｔに設定してもよい。当該実施態様において、前記複数の送信ビームは、サービングビームと候補ビームとを含む。
【００４０】
第２の実施態様において、前記複数の送信ビームの中のサービングビームにビーム障害事件が発生し、且つ前記候補ビームのうち比率Ｐ２の候補ビームのチャネル品質が期間Ｔ２内に閾値ＴＨ２より低い場合に、前記複数の送信ビームのチャネル品質が第１の条件を満たすと決定する。Ｐ２、Ｔ２及びＴＨ２は必要に応じて柔軟に設定されてもよく、Ｐ１、Ｔ１及びＴＨ１と別々に同じでも異なってもよい。例えば、閾値ＴＨ２は上記のＱｏｕｔであってもよく、他の値であってもよい。当該実施態様において、上述のように、Ｌ１／Ｌ２レイヤのこのビーム障害事件は、サービングビームが利用不可であることを反映できるいかなる事件であってもよく、無線通信システムの実際の状況及び／又は無線環境に応じて適当に定義してもよく、例えば３ＧＰＰ規格に定義されたビーム障害事件のような予め定義された事件であってもよい。例えば、前記複数の送信ビームのうち比率Ｐ３のサービングビームのチャネル品質は期間Ｔ３内に閾値ＴＨ３より低い場合に、前記複数の送信ビームの中のサービングビームにビーム障害事件が発生したと考えられる。前記Ｐ３、Ｔ３及びＴＨ３は必要に応じて柔軟に設定されてもよい。例えば、閾値ＴＨ３は上記Ｑｏｕｔであってもよく、他の値であってもよい。他の例示として、サービングビームのチャネル品質がある期間内にある閾値より低い、且つ候補ビームのチャネル品質がある期間内にある閾値より高い場合に、前記サービングビームにビーム障害事件が発生したと考えられる。
【００４１】
第３の実施態様において、期間Ｔ４内にサービングビームとなる送信ビームにビーム障害事件が発生した場合に、決定部５０２は、前記複数の送信ビームのチャネル品質が第１の条件を満たすと決定してもよい。あるいは、期間Ｔ４内に前記複数の送信ビームのうち比率Ｐ４の送信ビームにビーム障害事件が発生した場合に、決定部５０２は、前記複数の送信ビームのチャネル品質が第１の条件を満たすと決定してもよい。
【００４２】
送信部５０３は、前記決定部５０２が前記複数の送信ビームのチャネル品質が第１の条件を満たすと決定する場合に、上位レイヤが同期外れ指示情報に応じて無線リンク障害が発生したかを決定するように、上位レイヤに当該同期外れ指示情報を送信する。
【００４３】
ＵＥ５０の各部は、上記動作を定期的に繰り返す。即ち、Ｌ１／Ｌ２レイヤにおいて前記参照信号の品質を定期的に測定することで、複数の送信ビームのチャネル品質を決定し、当該チャネル品質が第１の条件を満たす場合に、Ｌ３レイヤに同期外れ指示情報を送信する。
【００４４】
一方、決定部５０２はＬ１／Ｌ２レイヤにおいて前記複数の送信ビームのチャネル品質が第２の条件を満たすかを決定してもよく、決定部５０２が前記複数の送信ビームのチャネル品質が第２の条件を満たすと決定する場合に、送信部５０３はＬ３レイヤに同期指示情報を送信する。例えば、前記複数の送信ビームのうち比率Ｐ５の送信ビームのチャネル品質が期間Ｔ５内に閾値ＴＨ５より高い場合に、前記複数の送信ビームのチャネル品質が第２の条件を満たすと決定できる。前記Ｐ５、Ｔ５及びＴＨ５は、必要に応じて柔軟に設定してもよい。例えば、閾値ＴＨ５はＱｉｎに設定してもよい。
【００４５】
そして、ＵＥは、上述で図４を参照して説明した方法に従って、前記同期外れ指示情報及び／又は前記同期指示情報に基づいて、Ｌ３レイヤにおいて無線リンク障害が発生するかを決定してもよい。ここで、便宜上、類似する説明を略する。
【００４６】
以下、本開示第２の実施例に関する無線リンク障害検出方法を説明する。当該実施例において、ＵＥに対して複数の第１のビームペアと複数の第２のビームペアとが配置される。即ち、ＵＥに対して複数の第１のタイプの送信ビーム(細い送信ビーム)と複数の第２のタイプの送信ビーム(太い送信ビーム)が配置される。
【００４７】
図６の示すように、本開示の第２の実施例に関する無線リンク障害検出の方法と、本開示の第１の実施例に関する無線リンク障害検出の方法との相違点は、次のことにある。即ち、Ｌ１／Ｌ２レイヤにおいて細い送信ビームにビーム障害事件が発生したことを検出した場合に、あるいはＬ１／Ｌ２レイヤにおいて細い送信ビームのチャネル品質が第１の条件を満たすことを検出した場合に、ＵＥは、バックオフを実行することで、太い送信ビームに基づいて無線リンク障害を検出する。
【００４８】
具体的には、図７を参照して、ステップＳ７０１において、Ｌ１／Ｌ２レイヤにおいて、前記複数の細い送信ビームのチャネル品質を測定し、前記複数の細い送信ビームにビーム障害事件が発生するかを決定する。具体的には、各第１のビームペアの中の細い受信ビームを利用して受信した、基地局が当該細い受信ビームに対応する細い送信ビームを利用して送信した参照信号の品質を、前記複数の細い送信ビームのチャネル品質として測定してもよい。そして、前記複数の細い送信ビームのチャネル品質に基づいて前記複数の細い送信ビームにビーム障害事件が発生するかを決定する。上述のように、Ｌ１／Ｌ２レイヤにおけるビーム障害事件は、無線通信システムの実際の状況及び／又は無線環境に応じて適当に定義される事件であってもよい。例えば、前記複数の細い送信ビームのうちある比率の細い送信ビームのチャネル品質がある期間内に閾値より低い場合に、前記複数の細い送信ビームにビーム障害事件が発生したと考えられる。ここで、前記比率、期間及び閾値は、必要に応じて柔軟に設定してもよい。あるいは、当該ステップにおいて、Ｌ１／Ｌ２レイヤにおいて前記複数の細い送信ビームのチャネル品質を測定し、且つ前記複数の細い送信ビームのチャネル品質が第１の条件を満たすかを決定してもよい。
【００４９】
ステップＳ７０１において前記複数の細い送信ビームにビーム障害事件が発生したと決定し(即ち、Ｌ１／Ｌ２レイヤにおいて前記複数の細い送信ビームにビーム障害事件が発生したと決定した後)、あるいは前記複数の細い送信ビームのチャネル品質が第１の条件を満たすと決定したら、ステップＳ７０２において、ＵＥは、太い送信ビームの検出を利用してＲＬＦが発生するかを検出する状態にバックオフする。
【００５０】
そして、ステップＳ７０３において、Ｌ１／Ｌ２レイヤにおいて各第２のビームペアの中の太い受信ビームを利用して受信した、基地局が当該太い受信ビームに対応する太い送信ビームを利用して送信した参照信号の品質を、前記複数の第２のビームペアに含まれる複数の太い送信ビームのチャネル品質として測定する。第２の実施例において、前記参照信号は同期信号(ＳＳ)、ＰＢＣＨのためのＤＭＲＳ、ＲＲＭ測定に用いるＣＳＩ-ＲＳであってもよい。前記参照信号がＳＳ又はＲＲＭ測定に用いるＣＳＩ-ＲＳである場合に、上位レイヤシグナリング(例えば、ＲＲＣシグナリング)によって当該ＣＳＩ-ＲＳとＵＥに送信するＰＤＣＣＨのＤＭＲＳとの間の対応関係(準コロケーション)を配置してもよい。それにより、当該対応関係に基づいて、当該参照信号の測定を監視して得られるのがどの制御チャネル(ＰＤＣＣＨ)のチャネル品質であるかを把握できる。
【００５１】
引き続き図７を参照すると、ステップＳ７０４において、前記複数の送信ビームのチャネル品質が第１の条件を満たすかを決定する。前記複数の送信ビームのチャネル品質が第１の条件を満たす場合、ステップＳ７０５において、上位レイヤが同期外れ指示情報に応じて無線リンク障害が発生したかを決定するように、上位レイヤに当該同期外れ指示情報を送信する。目標とされる対象が太いビームに限定されるという点以外、本開示の第２の実施例に関する方法におけるステップＳ７０３ないしＳ７０５は、本開示の第１の実施例に関する方法におけるステップＳ３０１ないしＳ３０３と同じであり、便宜上、同じ内容に対する説明を略する。
【００５２】
また、ＵＥは、Ｌ１／Ｌ２レイヤにおいて前記複数の送信ビームのチャネル品質が第２の条件を満たすかを決定し、前記複数の送信ビームのチャネル品質が第２の条件を満たす場合に、Ｌ３レイヤに同期指示情報を送信してもよい。
【００５３】
その後、ＵＥは、上述で図４に対して説明した方式に従って、前記同期外れ指示情報と前記同期指示情報とに基づいて、無線リンク障害が発生するかを決定してもよい。
【００５４】
以下、図８を参照して本発明の第２の実施例に関するＵＥを説明する。当該ＵＥに対して複数の第１のビームペアと複数の第２のビームペアが配置される。即ち、ＵＥに対して複数の第１のタイプの送信ビーム(細い送信ビーム)と複数の第２のタイプの送信ビーム(太い送信ビーム)が配置される。また、当該ユーザが実行する動作の詳細は、以上で図６を参照して説明した方法の各ステップと同じであるので、ここで、同じ内容に対する説明を略する。
【００５５】
図８の示すように、ＵＥ８０は、測定部８０１、決定部８０２及び送信部８０３を含む。
【００５６】
測定部８０１は、Ｌ１／Ｌ２レイヤにおいて前記複数の細い送信ビームのチャネル品質を測定し、且つ、決定部８０２は、前記複数の細い送信ビームにビーム障害事件が発生するかを決定する。具体的に、測定部８０１は、各第１のビームペアの中の細い受信ビームを利用して受信した、基地局が当該細い受信ビームに対応する細い送信ビームを利用して送信した参照信号の品質を、前記複数の細い送信ビームのチャネル品質として測定してもよい。そして、決定部８０２は、前記複数の細い送信ビームのチャネル品質に基づいて前記複数の細い送信ビームにビーム障害事件が発生するかを決定する。あるいは、決定部８０２は、前記複数の細い送信ビームのチャネル品質が第１の条件を満たすかを決定してもよい。
【００５７】
決定部８０２は、前記複数の細い送信ビームにビーム障害事件が発生したと決定し(即ち、Ｌ１／Ｌ２レイヤにおいて前記複数の細い送信ビームにビーム障害事件が発生したと決定した後)、あるいは前記複数の細い送信ビームのチャネル品質が第１の条件を満たすと決定したら、ＵＥは、太い送信ビームの検出を利用してＲＬＦが発生するかを検出する状態にバックオフする。
【００５８】
そして、測定部８０１は、各第２のビームペアの中の太い受信ビームを利用して受信した、基地局が当該太い受信ビームに対応する太い送信ビームを利用して送信した参照信号の品質を、前記複数の第２のビームペアに含まれる複数の太い送信ビームのチャネル品質として測定する。そして、前記決定部８０２は、前記複数の送信ビームのチャネル品質が第１の条件を満たすかを決定する。前記複数の送信ビームのチャネル品質が第１の条件を満たす場合、前記送信部８０３は、上位レイヤに同期指示情報を送信する。
【００５９】
また、決定部８０２は、Ｌ１／Ｌ２レイヤにおいて前記複数の送信ビームのチャネル品質が第２の条件を満たすかを決定し、且つ決定部８０２が前記複数の送信ビームのチャネル品質が第２の条件を満たすと決定する場合に、送信部８０３は、Ｌ３レイヤに同期指示情報を送信してもよい。
【００６０】
その後、ＵＥは、上述で図４に対して説明した方式に従って、前記同期外れ指示情報と前記同期指示情報とに基づいて、無線リンク障害が発生するかを決定してもよい。
【００６１】
以下、図９を参照して本開示の第３の実施例に関する無線リンク障害検出の方法を説明する。当該実施例において、ＵＥに対して複数の第１のビームペアと複数の第２のビームペアが配置される。即ち、ＵＥに対して複数の第１のタイプの送信ビーム(細い送信ビーム)と複数の第２のタイプの送信ビーム(太い送信ビーム)が配置される。
【００６２】
図９の示すように、ステップＳ９０１において、Ｌ１／Ｌ２レイヤにおいて各第１のビームペアの中の細い受信ビームを利用して受信した、基地局が当該細い受信ビームに対応する細い送信ビームを利用して送信した参照信号の品質を、前記複数の細い送信ビームのチャネル品質として測定し、且つ、各第２のビームペアの中の太い受信ビームを利用して受信した、基地局が当該太い受信ビームに対応する太い送信ビームを利用して送信した参照信号の品質を、前記複数の太い送信ビームのチャネル品質として測定する。ここで、測定の対象とされるビームが異なる可能性があるという点以外、上記測定ステップは、図３を参照して説明する測定ステップと大体同じであるので、ここで重複しない。
【００６３】
ステップＳ９０２において、前記複数の細い送信ビームのチャネル品質が第１の条件を満たすかを決定し、前記複数の太い送信ビームのチャネル品質が第２の条件を満たすかを決定する。ここでは、対象とされるビームは異なる可能性があるという点以外、上記決定ステップは図３を参照して説明した決定ステップと大体同じであるので、ここで重複しない。また、前記第１の条件と前記第２の条件は、対応する期間、閾値及び比率のうちの一つ又は複数が異なり、その他の内容が同じであってもよい。ステップＳ９０３において、前記複数の細い送信ビームのチャネル品質が第１の条件を満たし、且つ／又は前記複数の太い送信ビームのチャネル品質が第２の条件を満たす場合に、上位レイヤが同期外れ指示情報に応じて無線リンク障害が発生するかを決定するように、Ｌ３レイヤに当該同期外れ指示情報を送信する。
【００６４】
ここでは、必要に応じて、Ｌ３に同期外れ指示情報を送信する条件を設定する。例えば、前記複数の細い送信ビームのチャネル品質が第１の条件を満たす場合だけ、Ｌ３レイヤに同期外れ指示情報を送信するように設定してもよく、前記複数の第２のタイプの送信ビームのチャネル品質が第２の条件を満たす場合だけ、Ｌ３レイヤに同期外れ指示情報を送信するように設定してもよく、前記複数の細い送信ビームのチャネル品質が第１の条件を満たし、且つ前記複数の太い送信ビームのチャネル品質が第２の条件を満たす場合に、Ｌ３レイヤに同期外れ指示情報を送信するように設定してもよい。
【００６５】
同様に、当該方法において、ＵＥは、Ｌ１／Ｌ２レイヤにおいて前記複数の細い送信ビームのチャネル品質が第２の条件を満たすかを決定し、且つ、前記複数の太い送信ビームのチャネル品質が第２の条件を満たすかを決定してもよく、前記複数の細い送信ビームのチャネル品質が第２の条件を満たし、且つ／又は前記複数の太い送信ビームのチャネル品質が第２の条件を満たす場合に、Ｌ３レイヤに同期指示情報を送信する。
【００６６】
その後、ＵＥは、上述で図４を参照して説明した方式に従って、前記同期外れ指示情報と前記同期指示情報とに基づいて、無線リンク障害が発生するかを決定してもよい。
【００６７】
以下、図１０を参照して本発明の第３の実施例に関するＵＥを説明する。当該実施例において、ＵＥに対して複数の第１のビームペアと複数の第２のビームペアが配置される。即ち、ＵＥに対して複数の第１のタイプの送信ビーム(細い送信ビーム)と複数の第２のタイプの送信ビーム(太い送信ビーム)が配置される。また、当該ＵＥの動作の詳細は、以上で図９を参照して説明した方法と同じであるので、ここで、同じ内容に対する説明を略する。
【００６８】
図１０の示すように、ＵＥ１００は、測定部１０１、決定部１０２及び送信部１０３を含む。測定部１０１は、Ｌ１／Ｌ２レイヤにおいて、各第１のビームペアの中の細い受信ビームを利用して受信した、基地局が当該細い受信ビームに対応する細い送信ビームを利用して送信した参照信号の品質を、前記複数の細い送信ビームのチャネル品質として測定し、各第２のビームペアの中の太い受信ビームを利用して受信した、基地局が当該太い受信ビームに対応する太い送信ビームを利用して送信した参照信号の品質を、前記複数の太い送信ビームのチャネル品質として測定する。
【００６９】
決定部１０２は、前記複数の細い送信ビームのチャネル品質が第１の条件を満たすかを決定し、且つ、前記複数の太い送信ビームのチャネル品質が第２の条件を満たすかを決定する。前記第１の条件と前記第２の条件は、対応する期間、閾値及び比率のうちの一つ又は複数が異なり、他の内容が同じであってもよい。
【００７０】
送信部１０３は、決定部１０２が前記複数の細い送信ビームのチャネル品質が第１の条件を満たし、且つ／又は前記複数の太い送信ビームのチャネル品質が第２の条件を満たすと決定する場合に、上位レイヤが同期外れ指示情報に応じて無線リンク障害が発生したかを決定するように、Ｌ３レイヤに当該同期外れ指示情報を送信する。
【００７１】
また、決定部１０２は、Ｌ１／Ｌ２レイヤにおいて前記複数の細い送信ビームのチャネル品質が第２の条件を満たすかを決定し、且つ、前記複数の太い送信ビームのチャネル品質が第２の条件を満たすかを決定してもよい。決定部１０２が前記複数の細い送信ビームのチャネル品質が第２の条件を満たし、且つ／又は前記複数の太い送信ビームのチャネル品質が第２の条件を満たす場合に、送信部１０３はＬ３レイヤに同期指示情報を送信してもよい。
【００７２】
その後、ＵＥは、上述で図４を参照して説明した方式に従って、前記同期外れ指示情報と前記同期指示情報とに基づいて、無線リンク障害が発生するかを決定してもよい。
【００７３】
以下、図１１を参照して本開示第４の実施例に関する無線リンク障害検出の方法を説明する。当該実施例において、ＵＥに対して複数の第１のビームペアと複数の第２のビームペアとが配置される。即ち、ＵＥに対して複数の第１のタイプの送信ビーム(細い送信ビーム)と複数の第２のタイプの送信ビーム(太い送信ビーム)が配置される。
【００７４】
図１１の示すように、ステップＳ１１０１において、Ｌ３レイヤにおいて、Ｌ１／Ｌ２レイヤから送信された連続する第１の数の第１の同期外れ指示情報と連続する第２の数の第２の同期外れ指示情報とを受信する。前記第１の同期外れ指示情報は、各第１のビームペアの中の細い受信ビームを利用して受信した、基地局が当該細い受信ビームに対応する細い送信ビームを利用して送信する参照信号の品質を測定して得られた前記複数の細い送信ビームのチャネル品質が第１の条件を満たす場合に送信されるものである。前記第２の同期外れ指示情報は、各第２のビームペアの中の太い受信ビームを利用して受信した、基地局が当該太い受信ビームに対応する太い送信ビームを利用して送信した参照信号の品質を測定して得られた前記複数の太い送信ビームのチャネル品質が第２の条件を満たす場合に送信されるものである。例えば、以上で図３を参照して説明した方式に従って、前記複数の細い送信ビームのチャネル品質が第１の条件を満たすかを決定し、前記複数の太い送信ビームのチャネル品質が第２の条件を満たすかを決定してもよく、且つ、前記複数の細い送信ビームのチャネル品質が第１の条件を満たす場合に前記第１の同期外れ指示情報を送信し、前記複数の太い送信ビームのチャネル品質が第２の条件を満たす場合に前記第２の同期外れ指示情報を送信する。なお、前記第１の条件と前記第２の条件は同じであってもよく、異なってもよく、且つ、前記第１の数と前記第２の数は同じであってもよく、異なってもよい。
【００７５】
ステップＳ１１０２において、Ｌ３レイヤにおいて、前記第１の数の第１の同期外れ指示情報及び／又は前記第２の数の第２の同期外れ指示情報に応じて、無線リンク障害が発生するかを決定する。
【００７６】
具体的に、前記第１の数の第１の同期外れ指示情報だけに基づいてタイマーＴ３１０を起動するかを決定してもよい。この場合、前記第１の数が、細いビームに対して設定するＮ３１０１に至る時に、タイマーＴ３１０を起動してもよい。あるいは、前記第２の数の第２の同期外れ指示情報だけに基づいてタイマーＴ３１０を起動するかを決定してもよい。この場合、前記第２の数が、太いビームに対して設定するＮ３１０２に至る時に、タイマーＴ３１０を起動してもよい。あるいは、前記第１の数の第１の同期外れ指示情報と前記第２の数の第２の同期外れ指示情報との両方に基づいて、タイマーＴ３１０を起動するかを決定してもよい。この場合、ある期間内に前記第１の数が細いビームに対して設定するＮ３１０１に至り、且つ前記第２の数が太いビームに対して設定するＮ３１０２に至る時に、タイマーＴ３１０を起動してもよい。ここで、Ｎ３１０１とＮ３１０２は同じであってもよく、異なってもよい。
【００７７】
タイマーＴ３１０が起動した後、Ｌ３レイヤにおいてＬ１／Ｌ２レイヤから送信された連続する第３の数の第１の同期指示情報及び／又は第４の数の第２の同期指示情報をさらに受信してもよい。前記第１の同期指示情報は、前記複数の細い送信ビームのチャネル品質が第２の条件を満たす場合に送信されるものであり、前記第２の同期指示情報は、前記複数の太い送信ビームのチャネル品質が第２の条件を満たす場合に送信されるものである。そして、第３の数の第１の同期指示情報及び／又は第４の数の第２の同期指示情報に基づいて、タイマーＴ３１０を停止するかを決定してもよい。例えば、第３の数の第１の同期指示情報だけに基づいて、タイマーＴ３１０を停止するかを決定してもよい。この場合、前記第３の数が細いビームに対して設定するＮ３１１１に至る時に、タイマーＴ３１０を停止してもよい。あるいは、第４の数の第２の同期指示情報だけに基づいて、タイマーＴ３１０を停止するかを決定してもよい。この場合、前記第４の数が太いビームに対して設定するＮ３１１２に至る時に、タイマーＴ３１０を停止してもよい。あるいは、第３の数の第１の同期指示情報と第４の数の第２の同期指示情報とに基づいて、タイマーＴ３１０を停止するかを決定してもよい。この場合、ある期間内に前記第３の数が細いビームに対して設定するＮ３１１１に至り、且つ前記第４の数が太いビームに対して設定するＮ３１１２に至る時に、タイマーＴ３１０を停止してもよい。
【００７８】
それにより、ＵＥは、無線リンク障害が発生するかを決定できる。
【００７９】
そして、図１２を参照して本開示の第４の実施例に関するＵＥを説明する。当該実施例において、ＵＥに対して複数の第１のビームペアと複数の第２のビームペアが配置される。即ち、ＵＥに対して複数の第１のタイプの送信ビーム(細い送信ビーム)と複数の第２のタイプの送信ビーム(太い送信ビーム)が配置される。また、当該ＵＥの動作の詳細は、以上で図１１を参照して説明した方法と同じであるので、ここで、同じ内容に対する説明を略する。
【００８０】
図１２の示すように、ＵＥ１２０は、受信部１２０１と決定部１２０２を含む。
【００８１】
受信部１２０１はＬ３レイヤにおいてＬ１／Ｌ２レイヤから送信された連続する第１の数の第１の同期外れ指示情報と第２の数の第２の同期外れ指示情報とを受信する。
【００８２】
決定部１２０２は、Ｌ３レイヤにおいて、前記第１の数の第１の同期外れ指示情報及び／又は前記第２の数の第２の同期外れ指示情報に応じて、無線リンク障害が発生するかを決定する。具体的には、前記第１の数の第１の同期外れ指示情報だけに基づいて、タイマーＴ３１０を起動するかを決定してもよく、或いは、前記第２の数の第２の同期外れ指示情報だけに基づいて、タイマーＴ３１０を起動するかを決定してもよく、或いは、前記第１の数の第１の同期外れ指示情報と前記第２の数の第２の同期外れ指示情報との両方に基づいて、タイマーＴ３１０を起動するかを決定してもよい。
【００８３】
タイマーＴ３１０を起動した後、受信部１２０１は、Ｌ３レイヤにおいて、Ｌ１／Ｌ２レイヤから送信された第３の数の第１の同期指示情報及び／又は第４の数の第２の同期指示情報をさらに受信してもよい。そして、決定部１２０２は、第３の数の第１の同期指示情報及び／又は第４の数の第２の同期指示情報に基づいて、タイマーＴ３１０を停止するかを決定してもよい。例えば、決定部１２０２は、第３の数の第１の同期指示情報だけに基づいて、タイマーＴ３１０を停止するかを決定してもよく、或いは、第４の数の第２の同期指示情報だけに基づいて、タイマーＴ３１０を停止するかを決定してもよく、或いは、第３の数の第１の同期指示情報と第４の数の第２の同期指示情報とに基づいて、タイマーＴ３１０を停止するかを決定してもよい。この場合、前記第３の数が細いビームに対して設定するＮ３１１１に至り、且つ前記第４の数が太いビームに対して設定するＮ３１１２に至る時に、タイマーＴ３１０を停止してもよい。
【００８４】
それにより、マルチビームのシナリオにおいて、ＵＥは、無線リンク障害が発生するかを決定できる。
【００８５】
以上、本開示の実施例に関する無線リンク障害検出の方法と対応する移動局を説明した。上述した方法はあくまで例示であって制限的なものではないと考えられるべきである。例えば、上記各実施例において、カウント値Ｎ３１０及びＮ３１１と、タイマーＴ３１１とを利用して、無線リンク障害が発生するかを決定するが、ある実施例では、それらを変更してもよい。例えば、Ｎ３１０を省略することで、同期外れ指示情報を受信した場合に、タイマーＴ３１０を起動できるようにしてもよい。あるいは、Ｔ３１０とＮ３１１を省略することで、Ｎ３１０個の同期外れ指示情報を連続して受信した場合に、無線リンク障害が発生したと決定できるようにしてもよい。あるいは、上記三つのパラメータを省略することで、同期外れ指示情報だけを受信すれば、無線リンク障害が発生したと決定できるようにしてもよい。
【００８６】
以上より、本開示の実施例に関する上記方法と対応する移動局を利用することで、マルチビームシナリオにおいて無線リンク障害を便利的に検出できる。
【００８７】
上記実施例の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００８８】
例えば、本開示の実施例における無線基地局、ユーザ装置(又はユーザ端末)などは、本発明の無線通信方法の処理を行うコンピュータとして機能してもよい。図１３は、本開示の実施例に係る無線基地局及びユーザ端末のハードウェア構成の一例を示す図である。上述の無線基地局１０及びユーザ端末２０は、物理的に、プロセッサ１００１、メモリ１００２、ストレージ１００３、通信装置１００４、入力装置１００５、出力装置１００６、バス１００７などを含むコンピュータ装置として構成されてもよい。
【００８９】
なお、上記説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【００９０】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１つ以上のチップで実装されてもよい。
【００９１】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信を制御し、メモリ１００２及びストレージ１００３におけるデータの読み出し及び／又は書き込みを制御することで実現される。
【００９２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。例えば、上述の決定部は、プロセッサ１００１で実現されてもよい。
【００９３】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施例で説明した動作の少なくとも一部をコンピュータに実行させるプログラムが用いられる。例えば、ユーザ端末２０は、メモリ１００２に格納され、プロセッサ１００１で動作する制御プログラムによって実現されてもよく、他の機能ブロックについても同様に実現されてもよい。
【００９４】
メモリ１００２は、コンピュータ読み取り可能な記録媒体であり、例えば、読み取り専用メモリ（ＲＯＭ：Ｒｅａｄ  Ｏｎｌｙ  Ｍｅｍｏｒｙ）、プログラム可能読取り専用メモリ（ＥＰＲＯＭ：Ｅｒａｓａｂｌｅ  Ｐｒｏｇｒａｍｍａｂｌｅ  ＲＯＭ）、電気プログラマブル読取り専用メモリ（ＥＥＰＲＯＭ：Ｅｌｅｃｔｒｉｃａｌｌｙ  ＥＰＲＯＭ）、ランダムアクセスメモリ（ＲＡＭ：Ｒａｎｄｏｍ  Ａｃｃｅｓｓ  Ｍｅｍｏｒｙ）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施例に係る無線通信方法を実施するために実行可能なプログラム（プログラムコード）、ソフトウェアモジュールなどを保存することができる。
【００９５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Ｃｏｍｐａｃｔ  Ｄｉｓｃ  ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【００９６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Ｆｒｅｑｕｅｎｃｙ  Ｄｉｖｉｓｉｏｎ  Ｄｕｐｌｅｘ）及び／又は時分割複信（ＴＤＤ：Ｔｉｍｅ  Ｄｉｖｉｓｉｏｎ  Ｄｕｐｌｅｘ）を実現するために、高周波スイッチ、デュプレクサ、フィルタ、周波数シンセサイザなどを含んで構成されてもよい。例えば、上述の測定部、送信部などは、通信装置１００４で実現されてもよい。
【００９７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Ｌｉｇｈｔ  Ｅｍｉｔｔｉｎｇ  Ｄｉｏｄｅ）ランプなど）である。なお、入力装置１００５及び出力装置１００６は、一体となった構成（例えば、タッチパネル）であってもよい。
【００９８】
また、プロセッサ１００１、メモリ１００２などの各装置は、情報を通信するためのバス１００７で接続される。バス１００７は、単一のバスで構成されてもよいし、装置間で異なるバスで構成されてもよい。
【００９９】
また、無線基地局１０及びユーザ端末２０は、マイクロプロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブルロジックデバイス（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）などのハードウェアを含んで構成されてもよく、これらのハードウェアにより、各機能ブロックの一部又は全てが実現されてもよい。例えば、プロセッサ１００１は、これらのハードウェアの少なくとも１つで実装されてもよい。
【０１００】
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Ｒｅｆｅｒｅｎｃｅ  Ｓｉｇｎａｌ）と略称することもでき、適用される規格によってパイロット（Pilot）、パイロット信号などと呼ばれてもよい。また、コンポーネントキャリア（ＣＣ：Ｃｏｍｐｏｎｅｎｔ  Ｃａｒｒｉｅｒ）は、セル、周波数キャリア、キャリア周波数などと呼ばれてもよい。
【０１０１】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０１０２】
明細書においてパラメータなどに使用する名称は、いかなる点においても限定的なものではない。例えば、様々なチャネル（ＰＵＣＣＨ（Ｐｈｙｓｉｃａｌ  Ｕｐｌｉｎｋ  Ｃｏｎｔｒｏｌ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）など）及び情報要素は、あらゆる好適な名称によって識別できるので、これらの様々なチャネル及び情報要素に割り当てている様々な名称は、いかなる点においても限定的なものではない。
【０１０３】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０４】
また、情報、信号などは、上位レイヤから下位レイヤ、及び／又は下位レイヤから上位レイヤへ出力され得る。情報、信号などは、複数のネットワークノードを介して入出力されてもよい。
【０１０５】
入出力された情報、信号などは、決定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。情報の通知は、本明細書で説明した態様／実施例に限られず、他の方法で行われてもよい。例えば、情報の通知は、物理レイヤシグナリング（例えば、下り制御情報（ＤＣＩ：Ｄｏｗｎｌｉｎｋ  Ｃｏｎｔｒｏｌ  Ｉｎｆｏｒｍａｔｉｏｎ）、上り制御情報（ＵＣＩ：Ｕｐｌｉｎｋ  Ｃｏｎｔｒｏｌ  Ｉｎｆｏｒｍａｔｉｏｎ））、上位レイヤシグナリング（例えば、無線リソース制御（ＲＲＣ：Ｒａｄｉｏ  Ｒｅｓｏｕｒｃｅ  Ｃｏｎｔｒｏｌ）シグナリング、ブロードキャスト情報（マスタ情報ブロック（ＭＩＢ：Ｍａｓｔｅｒ  Ｉｎｆｏｒｍａｔｉｏｎ  Ｂｌｏｃｋ）、システム情報ブロック（ＳＩＢ：Ｓｙｓｔｅｍ  Ｉｎｆｏｒｍａｔｉｏｎ  Ｂｌｏｃｋ）など）、メディアアクセス制御（ＭＡＣ：Ｍｅｄｉｕｍ  Ａｃｃｅｓｓ  Ｃｏｎｔｒｏｌ）シグナリング）、その他の信号又はこれらの組み合わせによって実施されてもよい。
【０１０６】
なお、物理レイヤシグナリングは、Ｌ１／Ｌ２（Ｌａｙｅｒ  １／Ｌａｙｅｒ  ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（ＲＲＣＣｏｎｎｅｃｔｉｏｎＳｅｔｕｐ）メッセージ、ＲＲＣ接続再構成（ＲＲＣＣｏｎｎｅｃｔｉｏｎＲｅｃｏｎｆｉｇｕｒａｔｉｏｎ）メッセージなどであってもよい。また、ＭＡＣシグナリングは、例えば、ＭＡＣ制御要素（ＭＡＣ  ＣＥ（Ｃｏｎｔｒｏｌ  Ｅｌｅｍｅｎｔ））で通知されてもよい。
【０１０７】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０１０８】
決定又は判定は、１ビットで表される値（０か１か）によって行われてもよいし、真（ｔｒｕｅ）又は偽（ｆａｌｓｅ）で表される真偽値（ｂｏｏｌｅａｎ）によって行われてもよいし、数値の比較（例えば、所定の値との比較）によって行われてもよい。
【０１０９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１１０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Ｄｉｇｉｔａｌ  Ｓｕｂｓｃｒｉｂｅｒ  Ｌｉｎｅ）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１１１】
また、明細書で使用する「システム」及び「ネットワーク」という用語は、互換的に使用される。
【０１１２】
また、本明細書では、「基地局（ＢＳ：Ｂａｓｅ  Ｓｔａｔｉｏｎ）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどの用語で呼ばれる場合もある。
【０１１３】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１１４】
本明細書では、「移動局（ＭＳ）」、「ユーザ端末（ｕｓｅｒ  ｔｅｒｍｉｎａｌ）」、「ユーザ装置（ＵＥ）」及び「端末」という用語は、互換的に使用され得る。移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１１５】
また、本明細書における無線基地局は、ユーザ端末で読み替えてもよい。例えば、無線基地局及びユーザ端末間の通信を、複数のユーザ端末間（Ｄ２Ｄ：Ｄｅｖｉｃｅ−ｔｏ−Ｄｅｖｉｃｅ）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。同様に、本明細書におけるユーザ端末は、無線基地局で読み替えてもよい。この場合、上述のユーザ端末２０が有する機能を無線基地局１０が有する構成としてもよい。
【０１１６】
本明細書で説明した各態様／実施例は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した決定の順序に限定されない。
【０１１７】
本明細書で説明した各態様／実施例は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＬＴＥ−Ｂ（ＬＴＥ−Ｂｅｙｏｎｄ）、ＳＵＰＥＲ  ３Ｇ、ＩＭＴ−Ａｄｖａｎｃｅｄ、４Ｇ（４ｔｈ  ｇｅｎｅｒａｔｉｏｎ  ｍｏｂｉｌｅ  ｃｏｍｍｕｎｉｃａｔｉｏｎ  ｓｙｓｔｅｍ）、５Ｇ（５ｔｈ  ｇｅｎｅｒａｔｉｏｎ  ｍｏｂｉｌｅ  ｃｏｍｍｕｎｉｃａｔｉｏｎ  ｓｙｓｔｅｍ）、ＦＲＡ（Ｆｕｔｕｒｅ  Ｒａｄｉｏ  Ａｃｃｅｓｓ）、Ｎｅｗ−ＲＡＴ（Ｒａｄｉｏ  Ａｃｃｅｓｓ  Ｔｅｃｈｎｏｌｏｇｙ）、ＮＲ（Ｎｅｗ  Ｒａｄｉｏ）、ＮＸ（Ｎｅｗ  ｒａｄｉｏ  ａｃｃｅｓｓ）、ＦＸ（Ｆｕｔｕｒｅ  ｇｅｎｅｒａｔｉｏｎ  ｒａｄｉｏ  ａｃｃｅｓｓ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切な無線通信方法を利用するシステム及び／又はこれらに基づいて拡張された次世代システムに適用されてもよい。
【０１１８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１９】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０１２０】
本明細書で使用する「決定（ｄｅｔｅｒｍｉｎｉｎｇ）」という用語は、多種多様な動作を包含する場合がある。例えば、「決定」は、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベース又は別のデータ構造での探索）、確認（ａｓｃｅｒｔａｉｎｉｎｇ）などを「決定」することであるとみなされてもよい。また、「決定」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）などを「判断（決定）」することであるとみなされてもよい。また、「決定」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などを「決定」することであるとみなされてもよい。つまり、「決定」は、何らかの動作を「決定」することであるとみなされてもよい。
【０１２１】
本明細書又は特許請求の範囲で「含む（ｉｎｃｌｕｄｉｎｇ）」、「含んでいる（ｃｏｍｐｒｉｓｉｎｇ）」、及びそれらの変形が使用されている場合、これらの用語は、用語「備える」と同様に、包括的であることが意図される。さらに、本明細書あるいは特許請求の範囲において使用されている用語「又は（ｏｒ）」は、排他的論理和ではないことが意図される。
【０１２２】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2020511872.tif 000003
【図２】
2020511872.tif 000004
【図３】
2020511872.tif 000005
【図４】
2020511872.tif 000006
【図５】
2020511872.tif 000007
【図６】
2020511872.tif 000008
【図７】
2020511872.tif 000009
【図８】
2020511872.tif 000010
【図９】
2020511872.tif 000011
【図１０】
2020511872.tif 000012
【図１１】
2020511872.tif 000013
【図１２】
2020511872.tif 000014
【図１３】
2020511872.tif 000015
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
ユーザ装置であって、
基地局が複数の送信ビームを使用して送信した参照信号の品質を測定する測定部と、
前記品質が第１の条件を満たす場合、上位レイヤにビーム障害に関する指示を送信する送信部と、
を含むユーザ装置。
【請求項２】
前記送信部は、前記品質が第１の閾値より低い場合、上位レイヤに前記ビーム障害に関する指示を送信する、
請求項１に記載のユーザ装置。
【請求項３】
前記参照信号は、同期信号ブロック又はチャネル状態情報参照信号である、
請求項１又は２に記載のユーザ装置。
【請求項４】
方法であって、
基地局が複数の送信ビームを使用して送信した参照信号の品質を測定することと、
前記品質が第１の条件を満たす場合、上位レイヤにビーム障害に関する指示を送信することと、
を含む方法。
【国際調査報告】
2020511872.tif 000016
2020511872.tif 000017
2020511872.tif 000018
2020511872.tif 000019